(57)【要約】      （修正有）【課題】台座に対して兜飾り、弓飾り及び太刀飾りの設置位置が予め位置決めされるように芯材の位置を位置決めしておくことで、台座に設置される節句用飾りのレイアウトを簡単に行うことができる節句用飾り台を提供する。【解決手段】兜飾り、弓飾り及び太刀飾りが設置される台座１１を備えた節句用飾り台１を前提とする。兜飾り、弓飾り及び太刀飾りの各芯材２２，３４，４３の下面にそれぞれ凸設した螺子部５１を、兜飾り、弓飾り及び太刀飾りの予め設定した設置位置においてそれぞれ台座１１に開孔する貫通孔５２に挿通し、その挿通した螺子部５１の先端を螺着具５３により台座１１の下面側から螺着することで、各芯材２２，３４，４３を台座１１に固定している。【選択図】図４
0003190059.tif 000002
【実用新案登録請求の範囲】
【請求項１】
節句用飾りが設置される台座を備えた節句用飾り台であって、
前記台座には、その上面側において前記節句用飾りを支える芯材が立設されているとともに、前記台座に対する前記節句用飾りの設置位置が予め位置決めされるように前記芯材を固定する固定手段を備えていることを特徴とする節句用飾り台。
【請求項２】
前記台座は、枠体に載せられて高床にされている請求項１に記載の節句用飾り台。
【請求項３】
前記固定手段は、
前記芯材の下面に凸設された螺子部と、
前記台座に設けられ、前記螺子部を挿通する貫通孔と、
前記貫通孔に挿通された前記螺子部を前記台座の下面側から螺着する螺着具と、
を備えている請求項１又は請求項２に記載の節句用飾り台。
【請求項４】
前記節句用飾りとしては、兜の天頂部に天辺を有する兜飾りが適用され、
前記兜飾りは、前記芯材の上面に載置した際に前記天頂部に上方から当接する鍔部を有する筒状体を前記天辺に挿通した状態で前記筒状体に挿通される螺子によって前記芯材の上面に止着されている請求項１〜請求項３のいずれか１つに記載の節句用飾り台。
【請求項５】
前記天辺は、前記兜飾りの大きさに応じて径が拡径されており、
前記筒状体には、前記天辺の径に応じて拡径された段部が前記鍔部に連続して設けられている請求項４に記載の節句用飾り台。
【請求項６】
前記節句用飾りとしては、前記兜飾りの他に弓飾り及び太刀飾りが適用されており、
前記台座には、前記芯材によりそれぞれ支えられた前記弓飾り及び太刀飾りの下端を個別に保持する凹部が設けられている請求項４又は請求項５に記載の節句用飾り台。
【請求項７】
前記固定手段は、前記台座に設けられ、かつ前記芯材の下端を嵌合する凹部を備えている請求項１又は請求項２に記載の節句用飾り台。
【請求項８】
前記節句用飾りとしては、一対の親王を含む雛飾りが適用され、
前記台座には、前記一対の親王を個々に設置する親王台がそれぞれ一体的に設けられている請求項１〜請求項３及び請求項７のいずれか１つに記載の節句用飾り台。
【請求項９】
前記節句用飾りは、当該節句用飾りを前記台座の周方向全域及び上方から覆うケースを備えている請求項３〜８のいずれか１つに記載の節句用飾り台。
【請求項１０】
前記節句用飾りは、前記台座の後方から左右両側方に亘って立設された屏風を備えている請求項３〜８のいずれか１つに記載の節句用飾り台。
【考案の詳細な説明】
【技術分野】
【０００１】
本考案は、節句を祝う節句用飾りが台座に設置される節句用飾り台に関する。
【背景技術】
【０００２】
従来より、節句用飾り台としては、雛人形、五月人形、兜、鎧などの各種の節句用飾りが設置される台座を備えたものが知られている（特許文献１参照）。
【０００３】
また、台座に節句用飾りを設置する上で、当該節句用飾りを支える棒状の芯材を立設した置台を台座の上面側に載置し、この芯材の上端に兜などの節句用飾りを載置して飾るようにしたものもある（特許文献２参照）。
【先行技術文献】
【特許文献】
【０００４】
【特許文献１】特開平１０−５１０８号公報
【特許文献２】実登３１００９６４号公報
【考案の概要】
【考案が解決しようとする課題】
【０００５】
ところが、節句用飾りを棒状の芯材により支えるものでは、芯材が置台を台座の上面側に載置して配置されるため、節句用飾りを設置する際に芯材の位置が毎度位置決めできず、台座に他の節句用飾りを設置する際にも当該他の節句用飾りの設置位置が同様に位置決めできずに苦労し、節句用飾りのレイアウトが非常に煩わしいものとなる。
【０００６】
本考案は、かかる点に鑑みてなされたものであり、その目的とするところは、台座に対して節句用飾りの設置位置が予め位置決めされるように芯材の位置を位置決めしておくことで、台座に設置される節句用飾りのレイアウトを簡単に行うことができる節句用飾り台を提供することにある。
【課題を解決するための手段】
【０００７】
上記目的を達成するため、本考案では、節句用飾りが設置される台座を備えた節句用飾り台を前提とする。そして、前記台座に、その上面側において前記節句用飾りを支える芯材を立設するとともに、前記台座に対する前記節句用飾りの設置位置が予め位置決めされるように前記芯材を固定する固定手段を設けることを特徴としている。
【０００８】
また、前記台座を、枠体に載せて高床にしていてもよい。
【０００９】
また、前記固定手段に、前記芯材の下面に凸設された螺子部と、前記台座に設けられ、前記螺子部を挿通する貫通孔と、前記貫通孔に挿通された前記螺子部を前記台座の下面側から螺着する螺着具と、を備えていてもよい。
【００１０】
また、前記節句用飾りとして、兜の天頂部に天辺を有する兜飾りを適用し、前記兜飾りを、前記芯材の上面に載置した際に前記天頂部に上方から当接する鍔部を有する筒状体を前記天辺に挿通した状態で前記筒状体に挿通される螺子によって前記芯材の上面に止着してもよい。
【００１１】
また、前記筒状体に、前記兜飾りの大きさに応じて径が拡径された天辺の径に応じて拡径する段部を前記鍔部に連設することが好ましい。
【００１２】
更に、前記節句用飾りとして、前記兜飾りの他に弓飾り及び太刀飾りを適用し、前記台座に、前記芯材によりそれぞれ支えられた前記弓飾り及び太刀飾りの下端を個別に保持する凹部を設けることが好ましい。
【００１３】
これに対し、前記固定手段に、前記台座に設けられ、かつ前記芯材の下端を嵌合する凹部を設けていてもよい。
【００１４】
また、前記節句用飾りとして、一対の親王を含む雛飾りを適用し、前記台座に、前記一対の親王を個々に設置する親王台をそれぞれ一体的に設けていてもよい。
【００１５】
更に、前記節句用飾りに、当該節句用飾りを前記台座の周方向全域及び上方から覆うケースを備えていてもよい。
【００１６】
これに対し、前記節句用飾りは、前記台座の後方から左右両側方に亘って立設された屏風を備えていてもよい。
【考案の効果】
【００１７】
以上、要するに、台座に対する節句用飾りの設置位置が予め位置決めされるように芯材を固定手段により台座に固定しておくことで、芯材の位置が毎度正確に位置決めできる。これにより、節句用飾りを設置する際に芯材に節句用飾りを支えれば、台座に他の節句用飾りを設置する際にも当該他の節句用飾りの設置位置も容易に位置決めでき、台座に設置される節句用飾りのレイアウトを簡単に行うことができる。
【００１８】
また、台座を枠体に載せて高床にすることで、台座に設置される節句用飾りを見栄えよく飾ることができる。しかも、台座を枠体に載せれば、台座の下面側にスペースが生じ、固定手段の使用形態を拡大させることができる。
【００１９】
また、台座の貫通孔に挿通された芯材下面の螺子部を台座の下面側から螺着具により螺着して、固定手段による芯材の固定を行うことで、芯材の位置決めを簡単に行うことができる。
【００２０】
また、節句用飾りとしての兜飾りを、芯材の上面に兜を載置した際に天頂部に上方から鍔部を当接させて筒状体を天辺に挿通した状態で筒状体に挿通される螺子によって芯材の上面に止着して固定することで、兜飾りを芯材に確実に固定することができる。
【００２１】
また、兜飾りの天辺の径に応じて拡径する段部を鍔部に連続して筒状体に設けることで、兜飾りの大きさに応じて天辺の径が拡径されていても、筒状体の段部が天辺の径と合致し、天頂部に上方から鍔部を当接させて、大きな兜飾りであっても螺子により芯材に確実に固定することができる。
【００２２】
更に、芯材によりそれぞれ支えた節句用飾りとしての弓飾り及び太刀飾りの下端を台座の凹部で個別に保持することで、弓飾り及び太刀飾りを台座に確実に固定することができる。
【００２３】
これに対し、台座に設けた凹部に芯材の下端を嵌合して、固定手段による芯材の固定を行うことで、芯材の位置決めを凹部への嵌合によって簡単に行うことができる。
【００２４】
また、節句用飾りとしての雛飾りの一対の親王を個々に設置する親王台を台座にそれぞれ一体的に設けることで、台座に対する一対の親王の位置決めを簡単に行うことができる。
【００２５】
更に、節句用飾りをケースによって台座の周方向全域及び上方から覆うことで、固定手段により固定した節句用飾りをケースで覆った状態のままで収納することが可能となり、節句用飾りの飾り付け及び収納を簡単に行うことができる。
【００２６】
これに対し、台座の後方から左右両側方に亘って立設された屏風を節句用飾りに設けることで、節句飾りに開放感を保たせた状態で飾り付けることができる。
【図面の簡単な説明】
【００２７】
【図１】本考案の第１の実施の形態に係る節句用飾り台に兜飾り、弓飾り及び太刀飾りを飾り付けた状態での斜視図である。
【図２】図１の節句用飾り台の台座に芯材を固定した状態での斜視図である。
【図３】図２の台座を下方から見た斜視図である。
【図４】図２の節句用飾り台の台座に対する芯材の分解斜視図である。
【図５】図１の兜の天辺に対し挿通される筒状体の斜視図である。
【図６】図１の兜飾り、弓飾り及び太刀飾りをケースにより覆った状態での斜視図である。
【図７】本考案の第２の実施の形態の変形例に係る節句用飾り台に兜飾り、弓飾り及び太刀飾りを飾り付けた状態での斜視図である。
【図８】本考案の第２の実施の形態に係る節句用飾り台に親王飾り、雪洞飾り、御神酒飾り、橘飾り、桜飾り及び菱台飾りを飾り付けた状態での斜視図である。
【図９】図８の節句用飾り台の台座に対し芯材が固定される雪洞飾り、御神酒飾り、橘飾り、桜飾り及び菱台飾りの分解斜視図である。
【図１０】雪洞飾りに電源を供給する電源供給経路の構造を示す台座の縦断側面図である。
【図１１】図８の親王飾り、雪洞飾り、御神酒飾り、橘飾り、桜飾り及び菱台飾りをケースにより覆った状態での斜視図である。
【考案を実施するための形態】
【００２８】
以下、添付図面を参照しながら、本考案の実施の形態について説明し、本考案の理解に供する。なお、以下の実施の形態は、本考案を具体化した一例であって、本考案の技術的範囲を限定する性格のものではない。
【００２９】
図１は本考案の第１の実施の形態に係る節句用飾り台１に節句用飾りとしての兜飾り、弓飾り及び太刀飾りをそれぞれ飾り付けた状態での斜視図を示し、この図１を用いて、兜飾り２、弓飾り３及び太刀飾り４について説明する。兜飾り２、弓飾り３及び太刀飾り４は、端午の節句を祝う装飾として用いられ、これらをそれぞれ設置する略矩形板状の台座１１を備えた節句用飾り台１に飾り付けられる。
【００３０】
節句用飾り台１は、台座１１よりも若干大きい矩形枠状の枠体１２を備え、この枠体１２の上面に台座１１を載せて高床タイプとして用いられる。また、弓飾り３は、弓３１及び２本の矢３２，３３を備えている。各矢３２，３３は、互いに異なる矢尻３２１，３３１を備えている。一方の矢３２（図１では左側）の矢尻３２１としては、二股状に分かれた狩股状のものが用いられ、他方の矢３３（図１では右側）の矢尻３３１としては、先端が尖った尖矢状のものが用いられている。各矢３２，３３は、弓３１に取り付けられている。更に、太刀飾り４は、柄４１と、図示しない刀身を収める鞘４２とを備え、柄４１を下向けた状態で設置されている。
【００３１】
図２は節句用飾り台１の台座１１に芯材を固定した状態での斜視図、図３は台座１１を下方から見た斜視図、図４は節句用飾り台１の台座１１に対する芯材の分解斜視図をそれぞれ示している。この図２〜図４において、台座１１には、その上面側において兜飾り２、弓飾り３及び太刀飾り４をそれぞれ個別に支える芯材２２，３４，４３が立設されている。これらの芯材２２，３４，４３は、台座１１に対する兜飾り２、弓飾り３及び太刀飾り４の設置位置が予め位置決めされるように固定手段５によってそれぞれ固定されている。弓飾り３及び太刀飾り４を支える芯材３４，４３は、それぞれ露呈した状態で設けられるために塗装が施され、弓飾り３及び太刀飾り４を支える上で上端に支え部３４１，４３１を備えている。一方、兜飾り２を支える芯材２２は、袱紗２３によって覆われるために白木のままで円柱状に形成されている。
【００３２】
固定手段５は、兜飾り２、弓飾り３及び太刀飾り４の各芯材２２，３４，４３の下面にそれぞれ凸設された螺子部５１と、兜飾り２、弓飾り３及び太刀飾り４の予め設定された設置位置においてそれぞれ台座１１に開孔し、各螺子部５１を挿通する貫通孔５２と、この各貫通孔５２に挿通された螺子部５１の先端（下端）を台座１１の下面側から螺着する蝶ナット状の螺着具５３と、を備えている。
【００３３】
また、弓飾り３の弓３１及び太刀飾り４の台座１１上における設置位置には、芯材３４，４３によりそれぞれ支えられた弓飾り３の弓３１及び太刀飾り４の柄４１の先端を個別に保持する凹部１３，１４が設けられている。この凹部１３，１４は、弓飾り３の弓３１及び太刀飾り４の柄４１の台座１１上における設置位置においてそれぞれ開孔する孔部１３１，１４１を台座１１の下面に貼り付けられた当て板１３２，１４２により下方から塞いで構成されている。また、台座１１における弓３１の設置部分には、弓飾り３の矢３２，３３の矢尻３２１，３３１の形状に則した凹部１５，１５，…がそれぞれ設けられている。
【００３４】
図５は兜２０の天辺に対し挿通される筒状体の斜視図を示している。この図５において、兜飾り２の兜２０の天頂部には略真円形状の天辺２１が設けられている。天辺２１は、兜２０の大きさに応じて径が縮径又は拡径される。この場合、台座１１に設置可能な兜２０の大きさには限度があるため、天辺２１の径は大小２種類に限定されている。
【００３５】
兜飾り２の兜２０は、芯材２２の上面に載置した際に天頂部に上方から当接する鍔部２４を有する筒状体２５を天辺２１に挿通した状態で、当該筒状体２５の内周面に挿通される螺子２６によって、芯材２２の上面に止着されている。また、筒状体２５には、兜２０の大きさに応じて拡径された天辺２１の大きい径に応じて拡径する段部２７が鍔部２４の下面に連続して設けられている。なお、兜の大きさに応じて天辺がさらに拡径されている場合には、この拡径された天辺に応じて拡径する段部が鍔部の下面に連続して設けられた、径の大きな筒状体が別途用意されていればよい。これに対し、兜の大きさに応じて段階的に拡径された天辺の径に応じてそれぞれ段階的に拡径する複数の段部が鍔部の下面に連続して設けられていてもよい。
【００３６】
図６は兜飾り２、弓飾り３及び太刀飾り４をケースにより覆った状態での斜視図を示している。この図６において、節句用飾り台１は、兜飾り２、弓飾り３及び太刀飾り４を台座１１の前後両方向及び左右両方向並びに上方から覆うケース１０を備えている。このケース１０は、前面及び左右両側面並びに上面がそれぞれ無色透明なガラス板又はアクリル板により形成され、後面が銘板１０１を備えた塗装板によって形成されている。そして、ケース１０は、枠体１２の周縁に下端が接地されて装着されている。
【００３７】
したがって、本実施の形態では、台座１１に対する兜飾り２、弓飾り３及び太刀飾り４の設置位置を予め位置決めするように芯材２２，３４，４３が固定手段５によりそれぞれ台座１１に固定されている。具体的には、兜飾り２、弓飾り３及び太刀飾り４の各芯材２２，３４，４３の下面にそれぞれ凸設した螺子部５１を、兜飾り２、弓飾り３及び太刀飾り４の予め設定した設置位置においてそれぞれ台座１１に開孔する貫通孔５２に挿通し、その挿通した螺子部５１の先端を螺着具５３で台座１１の下面側から螺着することで固定している。
これにより、芯材２２，３４，４３の位置が毎度正確に位置決めされ、兜飾り２、弓飾り３及び太刀飾り４を設置する際に芯材２２，３４，４３に兜飾り２、弓飾り３及び太刀飾り４を支えれば、台座１１に他の節句用飾りを設置する際にも当該他の節句用飾りの設置位置も容易に位置決めでき、台座１１に設置される兜飾り２、弓飾り３、太刀飾り４及び他の節句用飾りのレイアウトを簡単に行うことができる。
【００３８】
また、台座１１が枠体１２に載せられて高床となるので、台座１１に設置される兜飾り２、弓飾り３及び太刀飾り４を見栄えよく飾ることができる。しかも、台座１１を枠体１２に載せれば、台座１１の下面側にスペースが生じ、固定手段５の使用形態を拡大させることができる。
【００３９】
また、台座１１の貫通孔５２にそれぞれ挿通された芯材２２，３４，４３下面の螺子部５１を台座１１の下面側から螺着具５３により螺着して、固定手段５による芯材２２，３４，４３の固定が行われるので、芯材２２，３４，４３の位置決めを簡単に行うことができる。
【００４０】
また、兜飾り２が、芯材２２の上面に載置した際に兜２０の天頂部に上方から鍔部２４を当接させて筒状体２５を天辺２１に挿通した状態で当該筒状体２５に挿通される螺子２６によって芯材２２の上面に止着されるので、兜飾り２の兜２０を芯材２２に確実に固定することができる。また、兜２０の天辺２１の径に応じて拡径する段部２７が鍔部２４の下面に連続して筒状体２５に設けられているので、兜２０の大きさに応じて天辺２１の径が拡径されていても、筒状体２５の段部２７が天辺２１の径と合致し、天頂部に上方から鍔部２４を当接させて、大きな兜２０であっても螺子２６により芯材２２に確実に固定することができる。
【００４１】
また、弓飾り３の弓３１及び太刀飾り４の台座１１上における設置位置に、芯材３４，４３によりそれぞれ支えられた弓飾り３の弓３１の下端及び太刀飾り４の柄４１の先端を個別に保持する凹部１３，１４が設けられているので、弓飾り３の弓３１の下端及び太刀飾り４の柄４１の先端が台座１１の凹部１３，１４で個別に保持され、弓飾り３の弓３１及び太刀飾り４を台座１１に確実に固定することができる。しかも、台座１１における弓飾り３の設置部分には、弓飾り３の矢３２，３３の矢尻３２１，３３１の形状に則した凹部１５，１５，…がそれぞれ設けられているので、各矢３２，３３の矢尻３２１，３３１が台座１１の各凹部１５で個別に保持され、弓飾り３の各矢３２，３３を台座１１に確実に固定することができる。
【００４２】
更に、兜飾り２、弓飾り３及び太刀飾り４がケース１０によって台座１１の前後両方向及び左右両方向並びに上方から覆われているので、固定手段５により固定した兜飾り２、弓飾り３及び太刀飾り４をケース１０で覆った状態のままで収納することが可能となり、兜飾り２、弓飾り３及び太刀飾り４の飾り付け及び収納を簡単に行うことができる。しかも、兜飾り２、弓飾り３及び太刀飾り４がケース１０で覆った状態のままで安定して収納され、兜飾り２、弓飾り３及び太刀飾り４が台座１１から不慮に外れることがなくなって、兜飾り２、弓飾り３及び太刀飾り４の飾り付け及び収納を迅速に行うことができる。
【００４３】
なお、本実施の形態では、兜飾り２、弓飾り３及び太刀飾り４をケース１０によって台座１１の前後両方向及び左右両方向並びに上方から覆ったが、図７に示すように、兜飾り２、弓飾り３及び太刀飾り４が、台座１１の後方から左右両側方に亘って立設された屏風１６を備えていてもよい。この場合、台座１１は枠体１２に載せられてはおらず、兜飾り２、弓飾り３及び太刀飾り４に開放感を保たせた状態で飾り付けることができる上、兜飾り２、弓飾り３及び太刀飾り４を台座１１ごと取り出すだけで新たに飾り付ける必要がなく、屏風を立設するだけで簡単に飾り付けることができる。
【００４４】
次に、本考案の第２の実施の形態を図面に基づいて説明する。
【００４５】
図８は本考案の第２の実施の形態に係る節句用飾り台に親王飾り、雪洞飾り、御神酒飾り、橘飾り、桜飾り及び菱台飾りを飾り付けた状態での斜視図、図９は節句用飾り台の台座に対し芯材が固定される雪洞飾り、御神酒飾り、橘飾り、桜飾り及び菱台飾りの分解斜視図、図１０は雪洞飾りに電源を供給する電源供給経路の構造を示す台座の縦断側面図、図１１は親王飾り、雪洞飾り、御神酒飾り、橘飾り、桜飾り及び菱台飾りをケースにより覆った状態での斜視図をそれぞれ示している。
【００４６】
すなわち、本実施の形態では、図８及び図９に示すように、節句用飾りとしての親王飾り７１、左右の雪洞飾り７２、御神酒飾り７３、橘飾り７４、桜飾り７５及び左右の菱台飾り７６は、上巳の節句を祝う装飾として用いられ、これらをそれぞれ設置する略矩形板状の台座６１を備えた節句用飾り台６に飾り付けられる。
【００４７】
節句用飾り台６は、台座６１よりも若干大きい矩形枠状の枠体６２を備え、この枠体６２の上面に台座６１を載せて高床タイプとして用いられる。また、台座６１の前後方向略中央部の左右両位置には、親王飾り７１の親王７１１，７１２を左右に載置する親王台７１３，７１３が一体的に突設されている。親王７１１，７１２は、親王台７１３上にそれぞれ設置されている。
【００４８】
左右の雪洞飾り７２は、台座６１の後部の左右両端位置にそれぞれ立設されている。また、御神酒飾り７３は、台座６１の前部の左右方向中央位置に設置されている。また、橘飾り７４は、台座６１の前部の左側端位置に設置され、桜飾り７５は、台座６１の前部の右側端位置に設置されている。更に、左右の菱台飾り７６は、台座６１の前部の橘飾り７４及び桜飾り７５と御神酒飾り７３との間にそれぞれ設置されている。
【００４９】
各雪洞飾り７２は、図示しない電球が収容された雪洞７２１と、この雪洞７２１を上端に固定する断面真円形状の支柱７２２と、支柱７２２の外周面に沿って上下方向に摺動自在に挿通されたダミー部材７２３とを備えている。このダミー部材７２３は、支柱７２２を台座６１に立設させた際に当該支柱７２２の下端部を外方から覆って高級感を保たせている。そして、左右の雪洞飾り７２、御神酒飾り７３、橘飾り７４、桜飾り７５及び左右の菱台飾り７６は、台座６１に対する設置位置が予め位置決めされるように固定手段８によってそれぞれ固定されている。
【００５０】
御神酒飾り７３、橘飾り７４、桜飾り７５及び菱台飾り７６の固定手段８は、当該御神酒飾り７３、橘飾り７４、桜飾り７５及び菱台飾り７６の下面に突設され、これらの飾り７３〜７６を台座６１に対して支える断面略真円形状の芯材７３１〜７６１を備えている。一方、雪洞飾り７２の固定手段８は、支柱７２２自体が雪洞７２１を台座６１に対して支える芯材として適用されている。この場合、雪洞７２１を支える支柱７２２は、それぞれ露呈した状態で設けられるために塗装が施されている。
【００５１】
また、固定手段８は、雪洞飾り７２、御神酒飾り７３、橘飾り７４、桜飾り７５及び菱台飾り７６の予め設定された設置位置においてそれぞれ台座６１に凹設され、かつ雪洞飾り７２の支柱７２２の下端、並びに御神酒飾り７３、橘飾り７４、桜飾り７５及び菱台飾り７６の芯材７３１〜７６１を嵌挿する凹部としての雪洞飾り用凹部８１、御神酒飾り用凹部８２、橘飾り用凹部８３、桜飾り用凹部８４及び菱台飾り用凹部８５を備えている。
【００５２】
更に、図１０に示すように、台座６１の後部の左右方向中央部よりも右寄りの位置には、雪洞７２１の電球に電力を供給する電気コード７２３を導出する略真円形状の導出孔６３が設けられている。この導出孔６３周縁に対応する台座６１下面の対応位置には、前後一対のレール６４，６４が設けられている。この各レール６４には、導出孔６３を下方から閉塞する略矩形状の閉塞板６５が左右方向へ摺動自在に取り付けられている。閉塞板６５は、その上面が台座６１と同色に塗装が施され、左右方向へ長い略Ｕ字状の切欠６５１を備えている。また、電気コード７２３には、閉塞板６５の切欠６５１に対し嵌合する嵌合溝７２４を備えたコネクタ７２５が装着されている。そして、電気コード７２３は、コネクタ７２５の嵌合溝７２４を閉塞板６５の切欠６５１に嵌合させた状態で、閉塞板６５を各レール６４に沿って摺動させて導出孔６３を閉塞することで、導出孔６３から見栄えよく導出されている。この場合、導出孔６３は、電気コード７２３の延出端のコンセントプラグ７３４の導出入を可能とする径に形成されている。
【００５３】
また、図１１に示すように、節句用飾り台６は、親王飾り７１、雪洞飾り７２、御神酒飾り７３、橘飾り７４、桜飾り７５及び菱台飾り７６を台座６１の前後両方向及び左右両方向並びに上方から覆うケース６０を備えている。このケース６０は、前面及び左右両側面並びに上面がそれぞれ無色透明なガラス板又はアクリル板により形成され、後面が銘板６０１を備えた塗装板によって形成されている。そして、ケース６０は、枠体６２の周縁に下端が接地されて装着されている。
【００５４】
したがって、本実施の形態では、雪洞飾り７２、御神酒飾り７３、橘飾り７４、桜飾り７５及び菱台飾り７６を設置するに当たり、雪洞７２１を上端に固定する支柱７２２、並びに御神酒飾り７３、橘飾り７４、桜飾り７５及び菱台飾り７６の下面より突設された芯材７３１〜７６１は、固定手段８により、台座６１に予め設定した設置位置において凹設された、雪洞飾り用凹部８１、御神酒飾り用凹部８２、橘飾り用凹部８３、桜飾り用凹部８４及び菱台飾り用凹部８５に嵌挿することによって台座１１に対するそれぞれの設置位置が予め位置決めされるように固定される。これにより、雪洞飾り７２の支柱７２２、並びに御神酒飾り７３、橘飾り７４、桜飾り７５及び菱台飾り７６の芯材７３１〜７６１の位置が毎度正確に位置決めされ、台座６１に他の節句用飾りを設置する際にも当該他の節句用飾りの設置位置も容易に位置決めでき、台座６１に設置される雪洞飾り７２、御神酒飾り７３、橘飾り７４、桜飾り７５及び菱台飾り７６並びに他の節句用飾りのレイアウトを簡単に行うことができる。
【００５５】
また、親王飾り７１の親王７１１，７１２を左右に載置する親王台７１３，７１３が台座６１に一体的に突設されているので、それぞれの親王台７１３上に親王７１１，７１２を設置するだけで正確に位置決めでき、親王７１１，７１２のレイアウトを簡単に行うことができる。
【００５６】
更に、雪洞飾り７２、御神酒飾り７３、橘飾り７４、桜飾り７５及び菱台飾り７６がケース６０によって台座６１の前後両方向及び左右両方向並びに上方から覆われているので、固定手段８により固定した雪洞飾り７２、御神酒飾り７３、橘飾り７４、桜飾り７５及び菱台飾り７６をケース６０で覆った状態のままで収納することが可能となり、雪洞飾り７２、御神酒飾り７３、橘飾り７４、桜飾り７５及び菱台飾り７６の飾り付け及び収納を簡単に行うことができる。
【００５７】
なお、本実施の形態では、親王台７１３上に親王７１１，７１２を設置し、固定手段８によって、雪洞飾り７２の支柱７２２、並びに御神酒飾り７３、橘飾り７４、桜飾り７５及び菱台飾り７６の芯材７３１〜７６１を、雪洞飾り用凹部８１、御神酒飾り用凹部８２、橘飾り用凹部８３、桜飾り用凹部８４及び菱台飾り用凹部８５に嵌挿して固定したが、親王台７１３上に親王７１１，７１２を接着材により固定し、雪洞飾り７２の支柱７２２、並びに御神酒飾り７３、橘飾り７４、桜飾り７５及び菱台飾り７６の芯材７３１〜７６１を、雪洞飾り用凹部８１、御神酒飾り用凹部８２、橘飾り用凹部８３、桜飾り用凹部８４及び菱台飾り用凹部８５に嵌挿した際に接着材を用いて固定してもよい。この場合には、親王７１１，７１２、雪洞飾り７２、御神酒飾り７３、橘飾り７４、桜飾り７５及び菱台飾り７６をケース６０で覆った状態のままで安定して収納することが可能となり、雪洞飾り７２、御神酒飾り７３、橘飾り７４、桜飾り７５及び菱台飾り７６が台座６１から不慮に外れることがなくなって、雪洞飾り７２、御神酒飾り７３、橘飾り７４、桜飾り７５及び菱台飾り７６の飾り付け及び収納を迅速に行うことができる。
【００５８】
また、本実施の形態では、親王７１１，７１２、雪洞飾り７２、御神酒飾り７３、橘飾り７４、桜飾り７５及び菱台飾り７６をケース６０によって台座６１の前後両方向及び左右両方向並びに上方から覆ったが、親王７１１，７１２、雪洞飾り７２、御神酒飾り７３、橘飾り７４、桜飾り７５及び菱台飾り７６が、台座６１の後方から左右両側方に亘って立設された屏風（図示せず）を備えていてもよい。この場合には、親王７１１，７１２、雪洞飾り７２、御神酒飾り７３、橘飾り７４、桜飾り７５及び菱台飾り７６に開放感を保たせた状態で飾り付けることができる上、親王７１１，７１２、雪洞飾り７２、御神酒飾り７３、橘飾り７４、桜飾り７５及び菱台飾り７６を台座６１ごと取り出すだけで新たに飾り付ける必要がなく、屏風を立設するだけで簡単に飾り付けることができる。
【００５９】
また、本実施の形態では、雪洞飾り７２の支柱７２２、並びに御神酒飾り７３、橘飾り７４、桜飾り７５及び菱台飾り７６の芯材７３１〜７６１をそれぞれ断面真円形状としたが、雪洞飾り７２の支柱７２２の少なくとも下端部、並びに御神酒飾り７３、橘飾り７４、桜飾り７５及び菱台飾り７６の芯材７３１〜７６１がそれぞれ断面多角形状に形成されていてもよい。その場合、雪洞飾り用凹部８１、御神酒飾り用凹部８２、橘飾り用凹部８３、桜飾り用凹部８４及び菱台飾り用凹部８５も同様に断面多角枠形状とする必要があるが、支柱及び芯材をそれぞれ嵌挿した際には当該支柱及び芯材が台座に対して回り止めされ、雪洞飾り、御神酒飾り、橘飾り、桜飾り及び菱台飾りを美観よく飾り付けることができる。
【００６０】
また、前記各実施の形態では、節句用飾りとして、兜飾り２、弓飾り３及び太刀飾り４、又は雪洞飾り７２、御神酒飾り７３、橘飾り７４、桜飾り７５及び菱台飾り７６を適用した場合について述べたが、五月人形や鎧などの節句用飾りにも適用できるのはいうまでもない。
【符号の説明】
【００６１】
１        節句用飾り台
１０      ケース
１１      台座
１２      枠体
１３      弓飾りの凹部
１４      太刀飾りの凹部
１６      屏風
２        兜飾り（節句用飾り）
２０      兜
２１      天辺
２２      兜飾りの芯材
２４      鍔部
２５      筒状体
２６      螺子
２７      段部
３        弓飾り（節句用飾り）
３４      弓飾りの芯材
４        太刀飾り（節句用飾り）
４３      太刀飾りの芯材
５        固定手段
５１      螺子部
５２      貫通孔
５３      螺着具
６        節句用飾り台
６０      ケース
６１      台座
６２      枠体
７１１，７１２    親王
７１３    親王台
７２      雪洞飾り（節句用飾り）
７２２    雪洞飾りの支柱（芯材）
７３      御神酒飾り（節句用飾り）
７３１    御神酒飾りの芯材
７４      橘飾り（節句用飾り）
７４１    橘飾りの芯材
７５      桜飾り（節句用飾り）
７５１    桜飾りの芯材
７６      菱台飾り（節句用飾り）
７６１    菱台飾りの芯材
８        固定手段
８１      雪洞飾り用凹部（凹部）
８２      御神酒飾り用凹部（凹部）
８３      橘飾り用凹部（凹部）
８４      桜飾り用凹部（凹部）
８５      菱台飾り用凹部（凹部）
【図１】
0003190059.tif 000003
【図２】
0003190059.tif 000004
【図３】
0003190059.tif 000005
【図４】
0003190059.tif 000006
【図５】
0003190059.tif 000007
【図６】
0003190059.tif 000008
【図７】
0003190059.tif 000009
【図８】
0003190059.tif 000010
【図９】
0003190059.tif 000011
【図１０】
0003190059.tif 000012
【図１１】
0003190059.tif 000013